(57)【要約】      （修正有）【課題】一度閉じると二度と開くことはなく、確実な流路の遮断ができるとともに、構造的にはシンプルで製造も容易であるクランプを提供する。【解決手段】底部２と可動固定部材３の後方部を、相互に連結する屈曲部８を介して一体に形成し、前記可動固定部材３の前方部の両側部及び下方向に腕部６を突設し、当該腕部６の内側に、それぞれ緊合凸部７ａを形成し、前記底部２の前方部には、上方向に立ち上がる連結部９を形成し、当該連結部９の両側部に、前記緊合凸部７ａと緊合する緊合凹部７ｂを形成したクランプ１。【選択図】図２
0003134511.tif 000002
【実用新案登録請求の範囲】
【請求項１】
底部（２、２２）と可動固定部材（３、２３）の後方部を、相互に連結する屈曲部（８、２８）を介して一体に形成し、
前記可動固定部材（３、２３）の前方部の両側部及び下方向に腕部（６、２６）を突設し、当該腕部（６、２６）の内側に、それぞれ緊合凸部（７ａ、２７ａ）を形成し、
前記底部（２、２２）の前方部には、上方向に立ち上がる連結部（９、２９）を形成し、当該連結部（９、２９）の両側部に、前記緊合凸部（７ａ、２７ａ）と緊合する緊合凹部（７ｂ、２７ｂ）を形成したことを特徴とするクランプ（１、２１）。
【請求項２】
前記屈曲部（８）と前記連結部（９）のそれぞれにチューブの挿入孔（１３ａ、１３ｂ）を形成し、
前記可動固定部材（３）は、チューブを押圧挟持してチューブを閉塞することができる上挟持部（４ａ）を下部に形成し、
前記底部（２）は、前記可動固定部材３に形成した上挟持部（４ａ）とともに、チューブを押圧挟持して、チューブを閉塞することができる下挟持部（４ｂ）を上部に形成した、請求項１に記載のクランプ（１）。
【請求項３】
前記屈曲部（２８）にチューブの挿入孔（３３ａ）を形成し、
前記腕部（２６）の内側には、チューブを押圧挟持してチューブを閉塞することができる上挟持部（２４ａ）を形成し、
当該腕部（２６）の内側に形成した上挟持部（２４ａ）とともに、チューブを押圧挟持して、チューブを閉塞することができる下挟持部（２４ｂ）を、前記連結部（２９）の内側に形成した、請求項１に記載のクランプ（２１）。
【請求項４】
チューブを押圧挟持してチューブを閉塞することができる上挟持部（４４ａ）を、下部に形成した可動固定部材（４３）と、当該可動固定部材（４３）に形成した上挟持部（４４ａ）とともに、チューブを押圧挟持してチューブを閉塞することができる下挟持部（４４ｂ）を上部に形成した底部（４２）を有し、
前記底部（４２）と前記可動固定部材（４３）の後方部を、相互に連結する屈曲部（４８）を介して一体に形成し、
前記屈曲部（４８）と前記連結部（４９）のそれぞれにチューブの挿入孔（５３ａ、５３ｂ）を形成し、
前記可動固定部材（４３）の前方部に、下方に向けて、くさび状の緊合部（４７ａ）を突設し、
前記底部（２２）の前方部には、上方向に立ち上がり、両側部に壁（５５）を有する連結部（４９）を形成し、当該連結部（４９）の上部に、くさび状の緊合部（４７ａ）の先端に形成した先端部（５０）が通過するとともに前記くさび状の緊合部（４７ａ）と緊合する、緊合受部（４７ｂ）を形成したことを特徴とするクランプ（４１）。
【請求項５】
請求項１から請求項４のいずれか１項に記載のクランプ（１、２１、４１）を装着したことを特徴とする医療用具。
【考案の詳細な説明】
【技術分野】
【０００１】
本考案は、透析用血液回路、高カロリー輸液バッグ、輸血・輸液セット等の医療用具を構成する液体移送チューブの途中に配置されるクランプの改良に関し、特に一度閉じると二度と開かないクランプに関する。
【背景技術】
【０００２】
医療現場において透析用血液回路、高カロリー輸液バッグ、輸血・輸液セット等に用いられる液体移送チューブを、必要に応じて閉塞させる際、従来からクランプが使用されている。
例えば、高カロリー輸液バッグなどで輸液を調剤したあと、調剤用のチューブを閉止させる必要がある。この際、閉止部材として用いられるクランプは、液の流れを完全に遮断し、かつ一度閉じたら二度と開かないといった機能が必要である。
【０００３】
上述のような機能のクランプとして、例えば特許文献１に記載のようなクランプが発明されている。
特許文献１の第１図のクランプ１は、凸状の係合部２を有する第１の挟持部３と、二つの壁部４、４をそれぞれ有する第２の挟持部５と、第１の挟持部３及び第２の挟持部５を連結するとともに、チューブ６が挿通できる孔部７を有する屈曲部８とからなり、凸状の係合部２が係合溝９に係合することで、係合部２の先端部２ａが孔部４ａ、４ａに挿通したチューブを突起１０に押圧して流路を閉塞するというものである。
また同文献の第９図ａ、ｂには、屈曲部８を介してくさび状の係合部２及び突起部ａを有する第１の挟持部３と、くさび状の係合部２を係合する係合溝９及び突起部ｂを有する第２の挟持部５を一体に形成したクランプ１”が記載され、突起部ａ、ｂの間にチューブを挟み、係合溝９に係合部２を挿入して係合することでチューブを閉塞するものである。
【０００４】
特許文献２には、針プロテクターの機能とクランプの機能を備えた翼状針用クランプが記載されている。クランプの非係合時には上部材２と下部材３の間に少なくとも翼４３を導入できる隙間を形成し、上部材２または下部材３に針及びハブを収容できる空間３２を形成するとともに、上部材２には左右一対の係合フック２１、下部材３には係合フック２１と係合する被係合部３１が、係脱自在に設けられている。
【０００５】
特許文献３には、誤刺防止用針カバーの機能と緊急離脱用チューブクランプの機能を備えたクランプが記載されている。
特許文献３のクランプ１は、封止部２と底部３の前方部から中腹部の間のそれぞれの対向する上壁面と下壁面に、それぞれ少なくとも一対の緊合突起部５（５Ａ）と緊合溝部６（６Ａ）を形成し、緊合突起部５（５Ａ）と緊合溝部６（６Ａ）は一度閉じると容易に開けない構造に形成されている。
【０００６】
特許文献１のクランプ１は、強い力で押すことにより、壁部４、４が外方に変形し、先端部２ａが徐々に深く挿入されてチューブを圧閉するが、このように凸状の係合部２がチューブを押圧して閉塞する作用も兼ねているため、チューブを閉塞する際には、より強い力を加える必要がある。またクランプ１”は、係合溝９の両側部がオープン（開放状態）になっているので、係合部２を係合溝９に係合したとき、係合部２が左右にずれてチューブが緩んだり外れたりするおそれがある。
特許文献２の発明は、上部材２には左右一対の係合フック２１、下部材３には係合フック２１と係合する被係合部２４を形成しているが、係合フック２１を被係合部２４に引っかけるのみの係合であるとともに、これらは係脱自在に係合可能であり、一度閉じたら二度と開かない構成のクランプとは異なり、前述の［０００２］のような目的には採用することは難しい。
特許文献３の発明は封止部２と底部３のそれぞれの対向する上壁面と下壁面に、それぞれ少なくとも一対の緊合突起部５（５Ａ）と緊合溝部６（６Ａ）を形成し、さらに一度閉じると容易に開けない構造に形成しているが、特許文献３の図７、図８のように緊合突起部を緊合溝部に差し込むもので、緊合溝部が底部３の内部に形成されており、成型や製造が複雑になってしまう。
また、特許文献２及び特許文献３のクランプは、特に血液透析などの体外循環回路に用いられ、翼付針の誤刺防止を兼ねているものなので、針を必要としない場合の流路の遮断には用いることはできない。
【特許文献１】特公平０５−２３７９２号公報（請求項１、実施例、第１図、第９図ａ、ｂ）
【特許文献２】特開２００１−３４０４５０号公報（請求項１、請求項２、［０００８］）
【特許文献３】特開２００６−９５１２１号公報（請求項１、図７、図８）
【考案の開示】
【考案が解決しようとする課題】
【０００７】
考案が解決しようとする問題点は、一度閉じたら二度と開かないクランプにおいて、特許文献１の第１図のクランプ１のように、凸状の係合部２がチューブを押圧して閉塞する作用も兼ねているため、チューブを閉塞する際には、強い力を加える必要がある点、第９図のクランプ１”のように、係合部２が係合溝９の左右からずれて、チューブが緩んだり外れたりするおそれのある点、また、特許文献２のように、係脱可能な構成では、係合フック２１を被係合部３１に係止して一旦流路を閉塞しても、係止が外れ、再び流路を開放するおそれがある点、さらに、特許文献３のように、緊合突起部を差し込む緊合溝部が底部３の内部に形成されているために、成型や製造が複雑になってしまう点などである。
【課題を解決するための手段】
【０００８】
［１］本考案は、底部（２、２２）と可動固定部材（３、２３）の後方部を、相互に連結する屈曲部（８、２８）を介して一体に形成し、
前記可動固定部材（３、２３）の前方部の両側部及び下方向に腕部（６、２６）を突設し、当該腕部（６、２６）の内側に、それぞれ緊合凸部（７ａ、２７ａ）を形成し、
前記底部（２、２２）の前方部には、上方向に立ち上がる連結部（９、２９）を形成し、当該連結部（９、２９）の両側部に、前記緊合凸部（７ａ、２７ａ）と緊合する緊合凹部（７ｂ、２７ｂ）を形成したクランプ（１、２１）を提供する。
［２］本考案は、前記屈曲部（８）と前記連結部（９）のそれぞれにチューブの挿入孔（１３ａ、１３ｂ）を形成し、
前記可動固定部材（３）は、チューブを押圧挟持してチューブを閉塞することができる上挟持部（４ａ）を下部に形成し、
前記底部（２）は、前記可動固定部材３に形成した上挟持部（４ａ）とともに、チューブを押圧挟持して、チューブを閉塞することができる下挟持部（４ｂ）を上部に形成した、［１］に記載のクランプ（１）を提供する。
［３］本考案は、前記屈曲部（２８）にチューブの挿入孔（３３ａ）を形成し、
前記腕部（２６）の内側には、チューブを押圧挟持してチューブを閉塞することができる上挟持部（２４ａ）を形成し、
当該腕部（２６）の内側に形成した上挟持部（２４ａ）とともに、チューブを押圧挟持して、チューブを閉塞することができる下挟持部（２４ｂ）を、前記連結部（２９）の内側に形成した、［１］に記載のクランプ（２１）を提供する。
［４］本考案は、チューブを押圧挟持してチューブを閉塞することができる上挟持部（４４ａ）を、下部に形成した可動固定部材（４３）と、当該可動固定部材（４３）に形成した上挟持部（４４ａ）とともに、チューブを押圧挟持してチューブを閉塞することができる下挟持部（４４ｂ）を上部に形成した底部（４２）を有し、
前記底部（４２）と前記可動固定部材（４３）の後方部を、相互に連結する屈曲部（４８）を介して一体に形成し、
前記屈曲部（４８）と前記連結部（４９）のそれぞれにチューブの挿入孔（５３ａ、５３ｂ）を形成し、
前記可動固定部材（４３）の前方部に、下方に向けて、くさび状の緊合部（４７ａ）を突設し、
前記底部（２２）の前方部には、上方向に立ち上がり、両側部に壁（５５）を有する連結部（４９）を形成し、当該連結部（４９）の上部に、くさび状の緊合部（４７ａ）の先端に形成した先端部（５０）が通過するとともに前記くさび状の緊合部（４７ａ）と緊合する、緊合受部（４７ｂ）を形成したクランプ（４１）を提供する。
［５］本考案は、［１］から［４］のいずれか１項に記載のクランプ（１、２１、４１）を装着した医療用具を提供する。
【考案の効果】
【０００９】
（１）本考案のクランプ１、２１は、連結部９、２９の両側部にそれぞれ緊合凹部７ｂ、２７ｂを形成しており、緊合凸部７ａの凸部分が、緊合凹部７ｂの窪み（凹部）に強固に引っかかって緊合し、かつ左右から挟みこむように固定されることにより、外部から無理な力を加えたりしない限り、クランプ１、２１は一度閉じると二度と開くことはなく、確実な流路の遮断ができるとともに、構造的にはシンプルで製造も容易である。
（２）本考案のクランプ１、４１は、チューブを閉塞する挟持部と、緊合部（緊合凸部７ａ、くさび状の緊合部４７ａ及び緊合凹部７ｂ、緊合受部４７ｂ）が別の位置にあり、挟持部（４ａ、４ｂ、４４ａ、４４ｂ）はチューブのみを潰せばよいので、比較的軽い力でチューブの閉塞が可能である。
（３）本考案のクランプ４１は、連結部４９の両側部に形成した壁５５により、くさび状の緊合部４７ａが緊合受部４７ｂから左右にずれて、チューブが緩んだり外れたりといったおそれがない。
【考案を実施するための最良の形態】
【００１０】
図１（Ａ）は、本考案のクランプ１の側面図、（Ｂ）は正面図、（Ｃ）は背面図、（Ｄ）は天面図であり、図２は本考案のクランプ１の概略図である。
図３（Ａ）は本考案のクランプ２１の側面図、（Ｂ）正面図、（Ｃ）は背面図、（Ｄ）は天面図であり、図４は本考案のクランプ２１の概略図である。
図５は、（Ａ）が本考案のクランプ４１の側面図、（Ｂ）正面図、（Ｃ）背面図、（Ｄ）天面図、及び図６は本考案のクランプ４１の概略図である。
【００１１】
本考案のクランプ１、２１、４１は、ポリプロピレン、ポリアセタール等の硬質ないし半硬質で可撓性（弾性）を有する合成樹脂を用いて、一体に成形される。
【００１２】
［クランプ１］
図１（図２）に例示する本考案のクランプ１は、底部２と可動固定部材３の後方部を、相互に連結する屈曲部８を介して一体に形成し、可動固定部材３の前方部の両側部及び下方向に腕部６を突設し、当該腕部６の内側に、それぞれ緊合凸部７ａを形成し、底部２の前方部には、上方向に立ち上がる連結部９を形成し、この連結部９の両側部に、緊合凸部７ａと緊合する緊合凹部７ｂを形成している。なお、本考案でいう緊合とは「しっかりはめ合わせる」ことであり、互いにずれたり外れたりしないことを意味し、嵌合及び係合も含むものとする。
また、屈曲部８と前記連結部９のそれぞれにチューブの挿入孔１３ａ、１３ｂを形成している。
さらに可動固定部材３は、チューブを押圧挟持してチューブを閉塞することができる上挟持部４ａを下部に形成し、底部２は、可動固定部材３に形成した上挟持部４ａとともに、チューブを押圧挟持して、チューブを閉塞することができる下挟持部４ｂを上部に形成している。
【００１３】
［底部２］
底部２の下挟持部４ｂは、上挟持部４ａとともにチューブを閉塞するために、図１の例示では段形状に形成している。これは上挟持部４ａの頂点Ｐ１が、下挟持部４ｂの頂点Ｐ２から前方にずらして、段差部分Ｄにチューブを押し込むようにして流路を閉塞するものである。下挟持部４ｂはこの段形状に限らず、例えば図６のクランプ４１の下挟持部４４ｂのような山型の突形状や、あるいは溝形状などでもよく、チューブを確実に閉塞できる形状であれば、特に限定しない。
底部２の前方部には連結部９が形成されている。図１のように、連結部９の略中央にはチューブを挿入するための挿入孔１３ｂが形成されている。連結部９の両側部には、それぞれ緊合凸部７ａに対応する緊合凹部７ｂが形成されている。
底部２の下部には、クランプ１を閉じる際の指の滑り止めとして、凸部１４が複数個形成されている。凸部１４は、必ずしも必要ではないが、作業性等から考慮すると、形成した方が好ましい。また、図１、図２の例示では、凸部１４は横方向に数本形成しているが、指の滑り止めになる形状であれば何でもよい。
【００１４】
［可動固定部材３］
可動固定部材３は、底部２から後方部に屈曲部８を介して形成されている。また、可動固定部材３の前方部の両側部には、例えば図２のように、腕部６が下方に向けてそれぞれ突設され、さらに、これら２本の腕部６の下端部の内側には緊合凸部７ａが対向してそれぞれ突設されている。
可動固定部材３の上部には、底部２と同様に、クランプ１を閉じる際などの指の滑り止めとして、凸部１４が複数個形成されている。
【００１５】
［緊合手段（緊合凸部７ａ、緊合凹部７ｂ）］
緊合凸部７ａは、腕部６のそれぞれ内側に、図２のように対向して形成してあり、これと対向する緊合凹部７ｂは、底部２の前方部に、連結部９の両側部に形成している。
また、図１（Ｂ）に例示するように、二つの緊合凹部７ｂ間の幅Ｗ７ｂは、緊合凸部７ａ間の幅Ｗ７ａと実質的に同じか、わずかに広く形成（緊合凸部７ａ間の幅Ｗ７ａ：緊合凹部７ｂ間の幅Ｗ７ｂ＝１：１〜１．４）されている。
チューブ閉塞時には、クランプ１にかける押力によって緊合凸部７ａが緊合凹部７ｂに緊合されるが、その際、材質自体が有する弾性力により緊合凹部７ｂに到達するまでの間（図１（Ａ）の、連結部９の緊合凹部７ｂより上部Ｏ１）では腕部６は一旦外方に変形し、緊合凸部７ａが緊合凹部７ｂに緊合したときに外方に変形していた腕部６は元の形状に戻る。同時に、緊合凹部７ｂ間の幅Ｗ７ｂは緊合凸部７ａ間のＷ７ａと実質的に同じかわずかに広く形成していることから、緊合凸部７ａは緊合凹部７に強固に緊合する。
また、緊合凹部７ｂは、図１及び図２のように、壁１５に囲まれた矩形の窪み（凹部）に形成しており、緊合時には緊合凸部７ａは緊合凹部に収まって強く緊合する。したがって、壁１５の作用により、緊合凸部７ａと緊合凹部７ｂが左右または前後にずれたり、ぐらついたりすることがなく、そのため、チューブが緩んだり外れたりするといった危険性もない。
こうして緊合凸部７ａの凸部分が、緊合凹部７ｂの窪み（凹部）に強固に緊合し、かつ左右から挟みこむように固定されることにより、外部から無理な力を加えたりしない限り、クランプ１は一度閉じると二度と開くことはない。
【００１６】
［クランプ２１］
図３（図４）に例示する本考案のクランプ２１は、底部２２と可動固定部材２３の後方部を、相互に連結する屈曲部２８を介して一体に形成し、可動固定部材２３の前方部の両側部及び下方向に腕部２６を突設し、この腕部２６の内側に、それぞれ緊合凸部２７ａを形成している。
また、底部２２の前方部には、上方向に立ち上がる連結部２９を形成し、この連結部２９の両側部に、緊合凸部２７ａと緊合する緊合凹部２７ｂを形成している。さらに屈曲部２８にチューブの挿入孔３３ａを形成している。
腕部２６の内側には、チューブを押圧挟持してチューブを閉塞することができる上挟持部２４ａを形成し、この腕部２６の内側に形成した上挟持部２４ａとともに、チューブを押圧挟持して、チューブを閉塞することができる下挟持部２４ｂを、連結部２９の内側に形成している。
クランプ２１の使用前の状態ではチューブ（図示せず）は、挿入孔３３ａと、腕部２６と連結部２９の間の空間Ｓに挿通される。
【００１７】
［上挟持部２４ａ、下挟持部２４ｂ］
上挟持部２４ａは、図４に例示すように、２本の腕部２６の内部に山型の形状に形成され、下挟持部２４ｂも上挟持部２４ａと同様に、２本の連結部２９の内部に山型の形状に形成されている。上挟持部２４ａと下挟持部２４ｂはそれぞれ頂点Ｐ２１、Ｐ２２を有し、緊合凸部２７ａと緊合凹部２７ｂを緊合させると同時に、挟持部２４ａの頂点Ｐ２１と下挟持部２４ｂの頂点Ｐ２２が閉じるので、空間Ｓに挿通されていたチューブを閉塞することができる。なお、上挟持部２４ａ、下挟持部２４ｂは、緊合凸部２７ａと緊合凹部２７ｂの緊合により空間Ｓのチューブを閉塞できる形状であれば、上述の例示に限定されない。
【００１８】
［緊合凸部２７ａ、緊合凹部２７ｂ］
チューブ閉塞時において、クランプ２１の緊合凸部２７ａと緊合凹部２７ｂで緊合する作用は、クランプ１の緊合凸部７ａと緊合凹部７ｂの作用と同様である。
すなわち、２本の腕部２６の内側に突設されている緊合凸部２７ａが、連結部２９の左右外側部に形成されている二つの緊合凹部２７ｂに、それぞれ左右から挟みこむように緊合することで、確実にチューブを閉塞できる。連結部２９の左右に形成した二つの緊合凹部７ｂ間の幅Ｗ２７ｂも、クランプ１と同様に、緊合凸部２７ａ間の幅Ｗ２７ａと実質的に同じか、わずかに広く形成（緊合凸部２７ａ間の幅Ｗ２７ａ：緊合凹部２７ｂ間の幅Ｗ２７ｂ＝１：１〜１．４）されている。
図３、図４の例示では、緊合凹部２７ｂは溝形状に示されているが、クランプ１の緊合凹部のように壁を形成して矩形の窪み（凹部）に形成することも可能である。
なお、クランプ２１の緊合凸部２７ａ及び緊合凹部２７ｂの構成・作用は、クランプ１の緊合凸部７ａ及び緊合凹部７ｂの構成・作用と特に同様であるので、具体的な説明は省略する。
【００１９】
［クランプ４１］
図５（図６）に例示する本考案のクランプ４１は、チューブを押圧挟持してチューブを閉塞することができる上挟持部４４ａを、下部に形成した可動固定部材４３と、この可動固定部材４３に形成した上挟持部４４ａとともに、チューブを押圧挟持してチューブを閉塞することができる下挟持部４４ｂを上部に形成した底部４２を有している。
また、底部４２と可動固定部材４３の後方部を、相互に連結する屈曲部４８を介して一体に形成し、屈曲部４８と連結部４９のそれぞれにチューブの挿入孔５３ａ、５３ｂを形成している。
さらに、可動固定部材４３の前方部に、下方に向けて、くさび状の緊合部４７ａを突設し、底部２２の前方部には、上方向に立ち上がり、両側部に壁５５を有する連結部４９を形成し、この連結部４９の上部に、くさび状の緊合部４７ａの先端に形成した先端部５０が通過するとともにくさび状の緊合部４７ａと緊合する、緊合受部４７ｂを形成している。
【００２０】
［底部４２］
底部４２には、図５のように、上部に下挟持部４４ｂが形成されている。下挟持部４４ｂは、上挟持部４４ａとともにチューブを閉塞するために、図５のように山型の突形状に形成しているが、例えば図１のクランプ１の下挟持部４ｂのように段形状、あるいは溝形状などでもよく、クランプ１と同様に、チューブを確実に閉塞できる形状であれば、上挟持部４４ａ、下挟持部４４ｂの形状は特に限定しない。
また、底部４２の前方部には連結部４９が形成されている。連結部４９の略中央には、図５に示すようにチューブを挿入するための挿入孔５３ｂが形成されている。連結部４９の上部には、くさび状の緊合部４７ａを緊合する緊合受部４７ｂが形成されている。
【００２１】
［可動固定部材４３］
底部４２の下部に形成した下挟持部４４ｂにとともにチューブを閉塞する上挟持部４４ａが形成される可動固定部材４３は、底部４２から後方部に屈曲部４８を介して形成されている。また、可動固定部材４３の前方部には、くさび状の緊合部４７ａが下方に向けて突設され、さらにくさび状の緊合部４７ａの先端には、先端部５０が形成されている。
【００２２】
［緊合手段（くさび状の緊合部４７ａ、緊合受部４７ｂ）］
くさび状の緊合部４７ａは、図５及び図６に示すように、可動固定部材４３の端部に下方に向いて突設され、緊合凹部４７ｂは、底部４２の端部に形成された連結部４９の上部に形成されている。
くさび状の緊合部４７ａの先端部５０は、図６に例示するようにくさび状（山型、略三角形等も含む）に形成することで、連結部４９の上部に形成した緊合受部４７ｂに緊合できるように構成されている。
具体的には、図６に示す先端部５０の最大幅Ｗ１は、緊合受部４７ｂの幅Ｗ２よりも広く形成することで、先端部５０のくさび状（山型、略三角形等）の形状及びクランプ４１を構成する材質自体が持つ弾性力から、先端部５０は最大幅Ｗ１よりも狭い緊合受部４７ｂの幅Ｗ２を通過できるとともに、逆に緊合受部４７ｂを一旦通過した先端部５０は、緊合受部４７ｂの幅Ｗ２よりも広い最大幅Ｗ１である先端部５０のくさび状（あるいは山型、略三角形等）の形状によって、緊合受部４７ｂに緊合した状態から二度と外れることはない。
【００２３】
なお、先端部５０の最大幅Ｗ１と緊合受部４７ｂの幅Ｗ２のサイズにあまりに差がないと、一旦緊合したくさび状の緊合部４７ａと緊合受部４７ｂが外れるおそれがあり、逆に最大幅Ｗ１が広すぎる（幅Ｗ２が狭すぎる）と、先端部５０が緊合受部４７ｂをスムーズに通過できず、さらにくさび状の緊合部４７ａと緊合受部４７ｂが緊合できない場合も生じる。したがって、先端部５０の最大幅Ｗ１：緊合受部４７ｂの幅Ｗ２＝１：１．１〜１．４に形成するのが好ましい。
また、連結部４９を略直方体に形成し、かつ両側部に壁５５を形成しているので、図６に示すように、チューブ閉塞時には、板状のくさび状の緊合部４７ａが連結部４９の両側部の壁５５に挟まれた内部（緊合受部４７ｂ）に収まる。連結部４９の両側部に壁５５を形成していることにより、壁５５がくさび状の緊合部４７ａと緊合受部４７ｂの左右のずれを防止するので、くさび状の緊合部４７ａと緊合受部４７ｂが左右や前後にずれたり、ぐらついたりすることがなく、そのため、チューブが緩んだり外れたりする危険性もない。
【図面の簡単な説明】
【００２４】
【図１】（Ａ）本考案のクランプ１の側面図、（Ｂ）正面図、（Ｃ）背面図、（Ｄ）天面図
【図２】本考案のクランプ１の概略図
【図３】（Ａ）本考案のクランプ２１の側面図、（Ｂ）正面図、（Ｃ）背面図、（Ｄ）天面図
【図４】本考案のクランプ２１の概略図
【図５】（Ａ）本考案のクランプ４１の側面図、（Ｂ）正面図、（Ｃ）背面図、（Ｄ）天面図
【図６】本考案のクランプ４１の概略図
【符号の説明】
【００２５】
１、２１、４１  クランプ
２、２２、４２  底部
３、２３、４３  可動固定部材
４ａ、２４ａ、４４ａ  上挟持部
４ｂ、２４ｂ、４４ｂ  下挟持部
６、２６  腕部
７ａ、２７ａ  緊合凸部
７ｂ、２７ｂ  緊合凹部
８、２８、４８  屈曲部
９、２９、４９  連結部
１３ａ、１３ｂ、３３ａ、５３ａ、５３ｂ  挿入孔
１４  凸部
１５、５５  壁
４７ａ  くさび状の緊合部
４７ｂ  緊合受部
５０  先端部
Ｄ  段差部分
Ｏ１  連結部９の緊合凹部７ｂより上部
Ｐ１  上挟持部４ａの頂点
Ｐ２  下挟持部４ｂの頂点
Ｐ２１  上挟持部２４ａの頂点
Ｐ２２  下挟持部２４ｂの頂点
Ｓ  空間
Ｗ７ａ  緊合凸部７ａ間の幅
Ｗ７ｂ  緊合凹部７ｂ間の幅
Ｗ２７ａ  緊合凸部２７ａ間の幅
Ｗ２７ｂ  緊合凹部２７ｂ間の幅
Ｗ１  先端部５０の最大幅
Ｗ２  緊合受部４７ｂの幅
【図１】
0003134511.tif 000003
【図２】
0003134511.tif 000004
【図３】
0003134511.tif 000005
【図４】
0003134511.tif 000006
【図５】
0003134511.tif 000007
【図６】
0003134511.tif 000008